(57)【要約】【課題】訪問者の訪問先の場所への立ち入りを円滑に行うとともに、訪問先以外の場所への立ち入りを禁止すること。【解決手段】情報処理装置と、第１の端末とを有する入室管理システムにおいて、前記第１の端末は、前記情報処理装置に、訪問相手を識別する識別情報を通知する制御部と、任意の無線接続装置と近距離無線通信を行う近距離無線通信部と、を備え、前記情報処理装置は、前記識別情報に基づいて、前記訪問相手の場所を特定する訪問受付部と、前記訪問相手の場所の無線接続装置が近距離無線通信により前記第１の端末を検出したときに、前記訪問相手の場所に設置された電気錠を解錠する管理部と、を備えることで上記課題を解決する。【選択図】図８
2017010415.tif 000002
【特許請求の範囲】
【請求項１】
情報処理装置と、第１の端末とを有する入室管理システムであって、
前記第１の端末は、
前記情報処理装置に、訪問相手を識別する識別情報を通知する制御部と、
無線接続装置と近距離無線通信を行う近距離無線通信部と、
を備え、
前記情報処理装置は、
前記識別情報に基づいて、前記訪問相手の場所を特定する訪問受付部と、
前記訪問相手の場所の無線接続装置が近距離無線通信により前記第１の端末を検出したときに、前記訪問相手の場所に設置された電気錠を解錠する管理部と、
を備える入室管理システム。
【請求項２】
前記管理部は、任意の無線接続装置から、前記第１の端末が在圏したことを通知されたときに、前記訪問相手の場所と、前記在圏の通知を行った前記無線接続装置の設置場所とが一致するかを判断し、一致する場合に、前記訪問相手の場所に設置された電気錠を解錠する、
請求項１記載の入室管理システム。
【請求項３】
第２の端末をさらに有し、
前記管理部は、前記第２の端末が在圏する無線接続装置が変更された際に、前記訪問相手の場所を、当該無線接続装置の設置場所に更新する、
請求項１または２記載の入室管理システム。
【請求項４】
前記訪問受付部は、前記訪問相手の場所が更新された際、更新された前記訪問相手の場所を前記第１の端末に通知する、
請求項３記載の入室管理システム。
【請求項５】
前記訪問受付部は、前記第１の端末に対応する再訪問の許可の登録を受け付け、前記第１の端末が、いずれの無線接続装置にも在圏しなくなり、かつ前記第１の端末に対応付けて再訪問の許可が登録されていない場合は、前記特定した訪問相手の場所の情報を消去する、請求項１乃至４のいずれか１項に記載の入室管理システム。
【請求項６】
前記管理部は、前記第１の端末が所定の無線接続装置と近距離無線通信を接続した際に、前記第１の端末に対応付けて再訪問の許可が登録されている場合は、当該所定の無線接続装置に応じた電気錠を解錠する、
請求項５記載の入室管理システム。
【請求項７】
第２の端末をさらに有し、
前記管理部は、再訪問の許可を登録する際、前記訪問相手の場所を保持しておき、前記第２の端末が在圏する無線接続装置が変更された際に、前記第１の端末に対応付けて再訪問の許可が登録されているか判断し、登録されていない場合は、前記訪問相手の場所を、当該無線接続装置の設置場所に更新し、登録されている場合は、前記保持している訪問相手の場所を更新しない、
請求項５または６記載の入室管理システム。
【請求項８】
前記訪問受付部は、前記第１の端末が所定の無線接続装置と近距離無線通信を接続した際に、前記第１の端末に、前記訪問相手を識別する情報の通知を促すメッセージを通知する、
請求項１乃至７のいずれか１項に記載の入室管理システム。
【請求項９】
前記訪問受付部は、前記訪問相手の場所への移動経路を前記第１の端末に通知する、
請求項１乃至８のいずれか１項に記載の入室管理システム。
【請求項１０】
１以上の情報処理装置と、端末とを有する入室管理システムであって、
前記端末は、
前記情報処理装置に、訪問相手を識別する識別情報を通知する制御部と、
任意の無線接続装置と近距離無線通信を行う近距離無線通信部と、
を備え、
前記１以上の情報処理装置は、
前記識別情報に基づいて、前記訪問相手の場所を特定する訪問受付部と、
前記訪問相手の場所の無線接続装置が近距離無線通信により前記端末を検出したときに、前記訪問相手の場所への立ち入りを許可する管理部と、
を備える入室管理システム。
【請求項１１】
情報処理装置に、以下の処理を行わせるプログラムであって、
端末から通知された訪問相手を識別する情報に基づいて、前記訪問相手の場所を特定する処理と、
前記訪問相手の場所の無線接続装置が近距離無線通信により前記端末を検出したときに、前記訪問相手の場所への立ち入りを許可する処理と、
を実行させるプログラム。
【発明の詳細な説明】
【技術分野】
【０００１】
本発明は、入室管理システム、及びプログラムに関する。
【背景技術】
【０００２】
セキュリティやプライバシーの保護等を目的として、コンピュータにより入退室を受け付け、管理する技術が知られている。例えば、特許文献１には、訪問者に目的地の方向を案内するとともに、目的地と無関係の場所へ侵入した場合に、警報を発するシステムが開示されている。
【発明の概要】
【発明が解決しようとする課題】
【０００３】
特許文献１記載の技術では、訪問者が、自身と関係のない部屋等に立ち入ることができてしまうという問題がある。
【０００４】
そこで、訪問者が目的の訪問先の場所への立ち入りを円滑に行うことができる技術を提供することを目的とする。
【課題を解決するための手段】
【０００５】
情報処理装置と、第１の端末とを有する入室管理システムにおいて、前記第１の端末は、前記情報処理装置に、訪問相手を識別する識別情報を通知する制御部と、任意の無線接続装置と近距離無線通信を行う近距離無線通信部と、を備え、前記情報処理装置は、前記識別情報に基づいて、前記訪問相手の場所を特定する訪問受付部と、前記訪問相手の場所の無線接続装置が近距離無線通信により前記第１の端末を検出したときに、前記訪問相手の場所に設置された電気錠を解錠する管理部と、を備える。
【発明の効果】
【０００６】
開示の技術によれば、訪問者が目的の訪問先の場所への立ち入りを円滑に行うことができる。
【図面の簡単な説明】
【０００７】
【図１】実施形態に係る入室管理システムの全体構成を示す図である。
【図２】実施形態に係るサーバ装置のハードウェア構成の一例を示す図である。
【図３】実施形態に係る訪問者端末のハードウェア構成の一例を示す図である。
【図４】実施形態に係る入室管理システムの機能構成を示す図である。
【図５】訪問者情報に格納される情報の一例を示す図である。
【図６】患者情報に格納される情報の一例を示す図である。
【図７】無線接続装置情報に格納される情報の一例を示す図である。
【図８】訪問者が訪問した際の入室管理システムのシーケンスの一例を示す図である。
【図９】訪問時に、訪問者端末に表示される画面の一例を示す図である。
【図１０】サーバ装置による、患者の現在の場所を管理する処理のフローチャートである。
【図１１】サーバ装置による、訪問を受け付ける際の処理のフローチャートである。
【図１２】サーバ装置による、電気錠の解錠／施錠処理のフローチャートである。
【図１３】訪問者が再訪問する際の入室管理システムのシーケンスの一例を示す図である。
【図１４】再訪問の許可をサーバ装置に登録する際に、訪問者端末と、訪問先端末とに表示される画面の一例を示す図である。
【図１５】サーバ装置による、再訪問の判断処理のフローチャートである。
【発明を実施するための形態】
【０００８】
図１は、実施形態に係る入室管理システム１の全体構成を示す図である。図１に示すように、入室管理システム１は、サーバ装置１０、入退室を行うユーザが所持する訪問者端末２０−１、２０−２、・・・（以下で適宜「訪問者端末２０」と総称する）、施設内のユーザが所持する訪問先端末３０−１、３０−２、・・・（以下で適宜「訪問先端末３０」と総称する）、複数の無線接続装置４０−１、４０−２、・・・（以下で適宜「無線接続装置４０」と総称する）、電気錠５０−１、５０−２、・・・（以下で適宜「電気錠５０」と総称する）、を有する。
【０００９】
以下では、適宜、入室管理システム１を病院に適用した場合を例に説明する。なお、実施形態の入室管理システム１は、企業のオフィス、展示会、観光施設、集合住宅等、様々な施設に適用できる。
【００１０】
サーバ装置１０は、例えば、コンピュータである。サーバ装置１０は、訪問者端末２０から通知された訪問相手を識別する識別情報に基づいて、訪問相手の場所を特定する。また、訪問相手の場所の無線接続装置４０が近距離無線通信により訪問者端末２０を検出したときに、訪問相手の場所に設置された電気錠５０を解錠する。
【００１１】
訪問者端末２０は、例えば、スマートフォン、タブレット端末、ノートパソコン等である。訪問者端末２０は、例えば入院患者等の訪問相手を訪問する、訪問者が所持する。
【００１２】
訪問先端末３０は、例えば、ＩＣタグ、スマートフォン、タブレット端末、ノートパソコン等である。訪問先端末３０は、訪問者の訪問相手である入院患者等が所持する。
【００１３】
無線接続装置４０は、例えば、アクセスポイントであり、ＢＬＥ（Bluetooth（登録商標） Low Energy）、ＮＦＣ（Near field communication）、無線ＬＡＮ（Local Area Network）等の近距離無線通信を用いて訪問者端末２０、訪問先端末３０と通信を行い、ＬＡＮを用いてサーバ装置１０と通信を行う。従って、無線接続装置４０は、他の装置と通信を行う通信装置ともいえる。無線接続装置４０は、例えば、部屋、廊下、玄関等に設置される。
【００１４】
電気錠５０は、サーバ装置１０からの指令に基づいて、ドアの施錠、解錠を行う。電気錠５０は、例えば、部屋、廊下、玄関等のドアに設置される。
【００１５】
サーバ装置１０と無線接続装置４０との間、及びサーバ装置１０と電気錠５０との間は、例えばＬＡＮで接続される。
【００１６】
サーバ装置１０と訪問者端末２０は、無線接続装置４０により接続される。また、サーバ装置１０と訪問先端末３０は、無線接続装置４０により接続される。なお、訪問先端末３０をＩＣタグにて実現する場合は、無線接続装置４０に、ＩＣタグリーダを設けた構成とすればよい。
【００１７】
図２は、実施形態に係るサーバ装置１０のハードウェア構成の一例を示す図である。
【００１８】
サーバ装置１０は、ＣＰＵ１０１、ＲＯＭ１０２、ＲＡＭ１０３、ＨＤＤ１０４、通信Ｉ／Ｆ１０５、外部Ｉ／Ｆ１０６、入力装置１０７、表示装置１０８などを備え、それぞれがバスＢで相互に接続されている。
【００１９】
ＣＰＵ１０１は、ＲＯＭ１０２などの記憶装置からプログラムやデータをＲＡＭ１０３上に読み出し、処理を実行することで、サーバ装置１０全体の制御や機能を実現する演算装置である。
【００２０】
ＲＯＭ１０２は、電源を切ってもプログラムやデータを保持することができる不揮発性の半導体メモリ（記憶装置）であり、ＢＩＯＳ、ＯＳ設定などのプログラムやデータを格納する。
【００２１】
ＲＡＭ１０３は、プログラムやデータを一時保持する揮発性の半導体メモリ（記憶装置）である。
【００２２】
ＨＤＤ１０４は、ＯＳや、各種機能を提供するアプリケーションプログラム等のデータを格納する。
【００２３】
通信Ｉ／Ｆ１０５は、イーサネット（登録商標）に準拠する通信を行う。
【００２４】
外部Ｉ／Ｆ１０６は、外部装置とのインタフェースである。外部装置には、記録媒体１０６ａなどがある。記録媒体１０６ａには、実施形態を実現するプログラムを格納することができる。サーバ装置１０は外部Ｉ／Ｆ１０６を介して、記録媒体１０６ａの読み取り及び／又は書き込みを行うことができる。
【００２５】
記録媒体１０６ａは、例えば、ＳＤメモリカード（SD Memory card）などの記録媒体である。記録媒体１０６ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００２６】
入力装置１０７は、サーバ装置１０に各種情報を入力するためのインタフェースである。表示装置１０８は、サーバ装置１０が有する各種情報を表示する。
【００２７】
図３は、実施形態に係る訪問者端末２０のハードウェア構成の一例を示す図である。
【００２８】
訪問者端末２０は、入力装置２０１、表示装置２０２、外部Ｉ／Ｆ２０３、ＲＡＭ（Random Access Memory）２０４、ＲＯＭ（Read Only Memory）２０５、ＣＰＵ（Central Processing Unit）２０６、近距離無線通信Ｉ／Ｆ２０７、ＳＳＤ（Solid State Drive）２０８などを備え、それぞれがバスＢで相互に接続されている。
【００２９】
入力装置２０１は、例えば、タッチパネルであり、訪問者端末２０に各操作信号を入力するのに用いられる。なお、入力装置２０１は、キーボードやマウスなどであってもよい。表示装置２０２は、例えば、ＬＣＤ（Liquid Crystal Display）などであり、訪問者端末２０による処理結果を表示する。
【００３０】
外部Ｉ／Ｆ２０３は、外部装置とのインタフェースである。外部装置には、記録媒体２０３ａなどがある。記録媒体２０３ａには、実施形態を実現するプログラムを格納することができる。訪問者端末２０は外部Ｉ／Ｆ２０３を介して、記録媒体２０３ａの読み取り及び／又は書き込みを行うことができる。
【００３１】
記録媒体２０３ａは、例えば、ＳＤメモリカード（SD Memory card）などの記録媒体である。記録媒体２０３ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００３２】
ＲＡＭ２０４は、プログラムやデータを一時保持する揮発性の半導体メモリ（記憶装置）である。ＲＯＭ２０５は、電源を切ってもプログラムやデータを保持することができる不揮発性の半導体メモリ（記憶装置）である。ＲＯＭ２０５には、訪問者端末２０の起動時に実行されるＢＩＯＳ（Basic Input/Output System）、ＯＳ設定、及びネットワーク設定などのプログラムやデータが格納されている。
【００３３】
ＣＰＵ２０６は、ＲＯＭ２０５やＳＳＤ２０８などの記憶装置からプログラムやデータをＲＡＭ２０４上に読み出し、処理を実行することで、訪問者端末２０全体の制御や機能を実現する演算装置である。
【００３４】
近距離無線通信Ｉ／Ｆ２０７は、無線接続装置４０を介した通信を行うためのインタフェースである。近距離無線通信Ｉ／Ｆ２０７は、例えば、ＢＬＥ（Bluetooth（登録商標） Low Energy）、ＮＦＣ（Near field communication）、無線ＬＡＮ（Local Area Network）等を用いて、無線接続装置４０との近距離無線通信を行う。
【００３５】
ＳＳＤ２０８は、プログラムやデータを格納している不揮発性の記憶装置である。格納されるプログラムやデータには、例えば訪問者端末２０全体を制御する基本ソフトウェアであるＯＳ（Operating System）や、ＯＳ上において各種機能を提供するアプリケーションソフトウェアなどがある。ＳＳＤ２０８は格納しているプログラムやデータを所定のファイルシステム及び／又はＤＢ（データベース）により管理している。なお、ＳＳＤ２０８の代わりに又はＳＳＤ２０８と併せて、ＨＤＤ（Hard Disk Drive）等を備えてもよい。
【００３６】
訪問先端末３０のハードウェア構成は、訪問者端末２０と同様であるため、その詳細な説明は省略する。
【００３７】
図４は、実施形態に係る入室管理システム１の機能構成を示す図である。
【００３８】
訪問者端末２０は、近距離無線通信部２１、制御部２２を有する。これら各部は、訪問者端末２０にインストールされた１以上のプログラムが、訪問者端末２０のＣＰＵ２０６に実行させる処理により実現される。
【００３９】
近距離無線通信部２１は、近距離無線通信Ｉ／Ｆ２０７を制御し、無線接続装置４０と近距離無線通信を行う。
【００４０】
制御部２２は、サーバ装置１０から受信した画面情報に基づき、訪問者の情報と、訪問相手を識別する情報の入力を促す画面を表示装置２０２に表示し、訪問者の画面操作にて入力された情報を、近距離無線通信部２１を用いてサーバ装置１０に通知する。また、制御部２２は、サーバ装置１０から受信した訪問先情報に基づき、訪問先の場所や、施設内の地図、訪問先の場所への移動経路等の情報を表示装置２０２に表示する。
【００４１】
訪問先端末３０は、近距離無線通信部３１、制御部３２を有する。これら各部は、訪問先端末３０にインストールされた１以上のプログラムが、訪問先端末３０のＣＰＵ２０６に実行させる処理により実現される。
【００４２】
近距離無線通信部３１は、近距離無線通信Ｉ／Ｆ２０７を制御し、無線接続装置４０と近距離無線通信を行う。
【００４３】
制御部３２は、サーバ装置１０から受信した訪問者の情報を、表示装置２０２に表示する。
【００４４】
無線接続装置４０は、近距離無線通信部４１、通信部４２、制御部４３を有する。
【００４５】
近距離無線通信部４１は、訪問者端末２０、訪問先端末３０が、近距離無線通信が可能な圏内に入ると、ＢＬＥ、ＮＦＣ、無線ＬＡＮ等の近距離無線通信を接続し、訪問者端末２０、訪問先端末３０のＩＤを取得する。なお、訪問者端末２０、訪問先端末３０のＩＤとして、例えば訪問者端末２０、訪問先端末３０のＭＡＣアドレスを用いる構成としてもよい。また、訪問者端末２０及び訪問先端末３０が、近距離無線通信が可能な圏内から出ると、近距離無線通信を切断する。
【００４６】
通信部４２は、ＬＡＮ等により、サーバ装置１０との通信を行う。
【００４７】
制御部４３は、訪問者端末２０または訪問先端末３０が、無線接続装置４０の近距離無線通信が可能な圏内に入ったため、近距離無線通信部４１により近距離無線通信を接続すると、訪問者端末２０または訪問先端末３０の在圏通知をサーバ装置１０に送信する。
【００４８】
制御部４３は、訪問者端末２０または訪問先端末３０が、無線接続装置４０の近距離無線通信が可能な圏内から出たため、近距離無線通信部４１により近距離無線通信を切断すると、訪問者端末２０または訪問先端末３０の圏外通知をサーバ装置１０に送信する。
【００４９】
在圏通知／圏外通知には、無線接続装置ＩＤ、訪問者端末ＩＤまたは訪問先端末ＩＤの情報が含まれる。無線接続装置ＩＤは、無線接続装置４０を識別する情報であり、例えば無線接続装置４０のＩＰアドレスやＭＡＣアドレスであってもよい。訪問者端末ＩＤ、訪問先端末ＩＤは、訪問者端末２０、訪問先端末３０のＩＤであり、例えば訪問者端末２０、訪問先端末３０のＭＡＣアドレスであってもよい。
【００５０】
サーバ装置１０は、管理部１１、訪問受付部１２、通信部１３、記憶部１４を有する。これら各部は、サーバ装置１０にインストールされた１以上のプログラムが、サーバ装置１０のＣＰＵ１０１に実行させる処理により実現される。
【００５１】
記憶部１４は、患者情報１４１、訪問者情報１４２、無線接続装置情報１４３を格納する。
【００５２】
管理部１１は、患者管理部１１１、訪問者管理部１１２、施錠／解錠制御部１１３を有する。
【００５３】
患者管理部１１１は、訪問先端末３０の在圏通知、圏外通知に基づき、患者情報１４１に含まれる現在の場所と、訪問者情報１４２に含まれる訪問先の場所を更新する。なお、この処理の詳細は後述する。
【００５４】
訪問者管理部１１２は、在圏通知、圏外通知に含まれる情報、訪問者情報１４２、無線接続装置情報１４３に基づいて、施錠／解錠制御部１１３に、電気錠５０の解錠、施錠を指示する。なお、この処理の詳細は後述する。
【００５５】
施錠／解錠制御部１１３は、訪問者管理部１１２からの指示により、通信部１３を用いて電気錠５０の解錠、施錠を行う。
【００５６】
訪問受付部１２は、特定の無線接続装置４０から在圏通知を受信した際、あるいは訪問者端末２０からの要求を受信した際、訪問者情報１４２における当該訪問者端末２０のＩＤに対応付けられた再訪問許可が「有」であるか判断する。そして、「有」でない場合は、訪問者端末２０に、訪問者の情報と、訪問相手を識別する情報の入力を促すメッセージを通知する。
【００５７】
訪問受付部１２は、訪問者端末２０から訪問者の情報と、訪問相手を識別する情報を通知されると、訪問者情報１４２に記録する。なお、この処理の詳細は後述する。また、訪問者端末２０から訪問者の情報等の通知をされた際、訪問先端末３０に、訪問者の情報を通知する。また、訪問者端末２０から訪問者の情報等の通知をされた際、及び患者情報１４１に含まれる現在の場所が更新された際、訪問者端末２０に、訪問相手の現在の場所である訪問先の場所や、施設内の地図、訪問先の場所への移動経路等の情報を含む訪問先情報を通知する。
【００５８】
通信部１３は、無線接続装置４０から、無線接続装置４０の識別情報（ＩＤ）、訪問者端末２０または訪問先端末３０のＩＤ、及び在圏／圏外の情報を含む在圏通知、圏外通知を受信する。また、訪問者端末２０、訪問先端末３０、電気錠５０等との通信を行う。
【００５９】
図５は、訪問者情報１４２に格納される情報の一例を示す図である。訪問者情報１４２には、データの項目として、訪問者端末ＩＤ、訪問者の情報、訪問日時、訪問先の場所、訪問先端末ＩＤ、再訪問許可、再訪問期限、再訪問許可端末ＩＤ、施設圏内を含む。訪問者端末ＩＤは、訪問者端末２０のＩＤである。訪問者の情報は、例えば、訪問者端末２０を所持する訪問者の氏名である。訪問日時は、サーバ装置１０が、訪問者端末２０から、訪問者の情報等を通知された日時である。訪問先の場所は、訪問相手の現在の場所である。訪問先端末ＩＤは、訪問先端末３０のＩＤである。
【００６０】
再訪問許可は、訪問者が、一時的に施設から外出し、再訪問することの許可の有無を示す情報である。再訪問期限は、再訪問が申請されてから、再訪問が可能な期限の情報である。再訪問許可端末ＩＤは、再訪問を許可した端末のＩＤである。例えば、訪問相手である患者や、施設の管理者である看護師の所持する端末等のＩＤである。施設圏内の情報は、施設に設置された複数の無線接続装置４０−１、４０−２、・・・の通信可能な圏内に、訪問者端末２０が存在するか否かを示す情報である。
【００６１】
図６は、患者情報１４１に格納される情報の一例を示す図である。患者情報１４１には、データの項目として、訪問先端末ＩＤ、患者名、生年月日、性別、現在の場所を含む。訪問先端末ＩＤは、訪問先端末３０のＩＤである。患者名、生年月日、性別は、訪問先端末３０を所持する患者の氏名、生年月日、性別である。現在の場所は、訪問先端末３０が現在在圏している無線接続装置の設置場所である。
【００６２】
図７は、無線接続装置情報１４３に格納される情報の一例を示す図である。無線接続装置情報１４３には、データの項目として、無線接続装置ＩＤ、設置場所、電気錠ＩＤを含む。無線接続装置ＩＤは、無線接続装置４０を識別する情報であり、例えば無線接続装置４０のＩＰアドレスやＭＡＣアドレスであってもよい。設置場所は、無線接続装置４０が設置されている場所を示す情報である。電気錠ＩＤは、無線接続装置４０の設置場所のドアに設置されている電気錠５０のＩＤであり、例えば電気錠５０のＭＡＣアドレスであってもよい。
【００６３】
次に、図８を参照し、訪問者が訪問した際の入室管理システム１の動作について説明する。図８は、訪問者が訪問した際の入室管理システム１のシーケンスの一例を示す図である。なお、例えば、無線接続装置４０−１は施設の玄関の受付等に設置され、無線接続装置４０−２は部屋に設置され、電気錠５０は、部屋のドアや、部屋に至るための廊下のゲートに設置されているものとする。
【００６４】
訪問先端末３０を所持する訪問相手が、無線接続装置４０−２の圏内に移動すると、訪問先端末３０と無線接続装置４０−２との間で近距離無線通信を接続する（ステップＳ１０１）。無線接続装置４０−２は、自装置の識別情報と、例えば訪問先端末３０のＭＡＣアドレス等の、近距離無線通信で取得した訪問先端末３０の識別情報を含む在圏通知を、サーバ装置１０に送信する（ステップＳ１０２）。サーバ装置１０は、受信した在圏通知に基づき、患者情報１４１を更新する（ステップＳ１０３）。
【００６５】
訪問者端末２０を保持する訪問者が、例えば施設の受付に設置された無線接続装置４０−１の圏内に移動すると、訪問者端末２０と無線接続装置４０−１との間で近距離無線通信を接続する（ステップＳ１０４）。無線接続装置４０−１は、自装置の識別情報と、訪問者端末２０の識別情報を含む在圏通知を、サーバ装置１０に送信する（ステップＳ１０５）。
【００６６】
サーバ装置１０は、無線接続装置４０−１からの在圏通知を受信すると、無線接続装置４０−１を介して、訪問者端末２０へ、訪問者の情報等の入力を要求する（ステップＳ１０６）。訪問者端末２０は、訪問者の情報や、訪問相手を識別する情報を入力する画面を表示する（ステップＳ１０７）。訪問者端末２０は、表示画面を用いて訪問者から入力された、訪問者の情報や、訪問相手を識別する情報を通知する（ステップＳ１０８）。
【００６７】
サーバ装置１０は、患者情報１４１を検索して、訪問相手の現在の場所を抽出し（ステップＳ１０９）、訪問者情報１４２の訪問先の場所に記録する（ステップＳ１１０）。
【００６８】
サーバ装置１０は、訪問先端末３０に、訪問者の氏名等の情報を通知する（ステップＳ１１１）。訪問先端末３０は、通知された訪問者の氏名等の情報を表示する（ステップＳ１１２）。
【００６９】
サーバ装置１０は、訪問者端末２０に、訪問先の場所の情報を含む訪問先情報を通知する（ステップＳ１１３）。訪問者端末２０は、通知された訪問先情報を表示する（ステップＳ１１４）。
【００７０】
訪問者端末２０を所持する訪問者が、無線接続装置４０−２の圏内に移動すると、訪問者端末２０と無線接続装置４０−２との間で近距離無線通信を接続する（ステップＳ１１５）。無線接続装置４０−２は、在圏通知を、サーバ装置１０に送信する（ステップＳ１１６）。サーバ装置１０は、訪問者端末２０の訪問先の場所と、無線接続装置４０−２が設置されている場所が一致するか判断する（ステップＳ１１７）。一致すれば、無線接続装置４０−２に対応する電気錠５０−２に解錠指示を送信し（ステップＳ１１８）、電気錠５０−２を解錠させる（ステップＳ１１９）。
【００７１】
訪問者端末２０を所持する訪問者が、無線接続装置４０−２の圏外に移動すると、訪問者端末２０と無線接続装置４０−２との間で近距離無線通信を切断する（ステップＳ１２０）。無線接続装置４０−２は、圏外通知を、サーバ装置１０に送信する（ステップＳ１２１）。サーバ装置１０は、訪問者端末２０の訪問先の場所と、無線接続装置４０−２が設置されている場所が一致するか判断する（ステップＳ１２２）。一致すれば、無線接続装置４０−２に対応する電気錠５０−２に施錠指示を送信し（ステップＳ１２３）、電気錠５０−２を施錠させる（ステップＳ１２４）。
【００７２】
図９は、訪問時に、訪問者端末２０に表示される画面の一例を示す図である。図９（Ａ）は、図８のステップＳ１０８で訪問者端末２０に表示する、訪問者の情報として、訪問者の氏名や、訪問者の写真を入力させる画面の例である。図９（Ｂ）は、図８のステップＳ１０８で訪問者端末２０に表示する、訪問相手を識別する情報として、患者名（氏名）、生年月日、性別を入力させる画面の例である。図９（Ｃ）は、図８のステップＳ１１５で訪問者端末２０に表示する、サーバ装置１０から通知された訪問先情報を表示する画面の例である。地図表示ボタン２１０を押下すると、訪問先情報に含まれる訪問相手の現在の場所である訪問先の場所や、施設内の地図を表示する。案内開始ボタン２２０を押下すると、訪問先の場所への移動経路等のナビゲーション画面を表示する。
【００７３】
次に、図１０を参照し、図８のステップＳ１０３で、サーバ装置１０が、訪問先端末３０の在圏通知に基づき、患者情報１４１を更新する処理の詳細について説明する。図１０は、サーバ装置１０による、患者の現在の場所を管理する処理のフローチャートである。
【００７４】
通信部１３が、無線接続装置４０から、無線接続装置４０のＩＤ、訪問先端末３０のＩＤ、在圏／圏外の情報を含む、訪問先端末３０の在圏通知／圏外通知を受信する（ステップＳ２０１）。
【００７５】
患者管理部１１１は、無線接続装置情報１４３から、当該無線接続装置４０のＩＤに対応付けられた設置場所の情報を取得する（ステップＳ２０２）。患者管理部１１１は、患者情報１４１の、当該訪問先端末３０のＩＤに対応付けられた現在の場所を、ステップＳ２０２で取得した設置場所の情報に更新する（ステップＳ２０３）。患者管理部１１１は、訪問者情報１４２の、当該訪問先端末ＩＤに対応付けられた訪問先の場所を、ステップＳ２０２で取得した設置場所の情報に更新する（ステップＳ２０４）。それにより、訪問相手が移動する度に、訪問相手の現在の場所が患者情報１４１及び訪問者情報１４２に格納される。
【００７６】
次に、図１１を参照し、図９のステップＳ１０５〜ステップＳ１１０で、サーバ装置１０が、特定の無線接続装置４０から訪問者端末２０の在圏通知を受信し、訪問を受け付けて訪問者情報１４２を記録する際の処理の詳細について説明する。図１１は、サーバ装置１０による、訪問を受け付ける際の処理のフローチャートである。
【００７７】
通信部１３が、無線接続装置４０から、無線接続装置４０のＩＤ、訪問者端末２０のＩＤ、在圏／圏外の情報を含む、訪問者端末２０の在圏通知／圏外通知を受信する（ステップＳ３０１）。
【００７８】
訪問受付部１２は、当該無線接続装置ＩＤが、施設の玄関の受付等に設置された、特定の無線接続装置４０−１のＩＤであるか判断し（ステップＳ３０２）、特定の無線接続装置４０−１のＩＤでなければ（ステップＳ３０２でＮＯ）、処理を終了する。特定の無線接続装置４０−１のＩＤであれば（ステップＳ３０２でＹＥＳ）、訪問者端末２０に、訪問者の情報と、訪問相手を識別する情報の入力を要求する（ステップＳ３０３）。
【００７９】
訪問受付部１２は、訪問者端末２０から訪問者名等の訪問者の情報と、訪問相手を識別する情報を通知されると、患者情報１４１から、通知された訪問相手を識別する情報に対応付けられた、訪問先端末ＩＤ及び現在の場所を取得する（ステップＳ３０４）。なお、訪問相手を識別する情報として、例えば、患者名や生年月日等を用いる構成としてもよい。
【００８０】
訪問受付部１２は、訪問者情報１４２に、通知された訪問者端末ＩＤ及び訪問者の情報を記憶する。また、訪問者情報１４２において、通知された訪問者端末ＩＤに対応付けられた訪問日時、訪問先の場所、訪問先端末ＩＤ、施設圏内の項目に、現在の日時、患者情報１４１から取得した現在の場所、患者情報１４１から取得した訪問先端末ＩＤ、「在」をそれぞれ記録する（ステップＳ３０５）。
【００８１】
なお、訪問者端末２０から訪問者名等の訪問者の情報と、訪問相手を識別する情報は、訪問者端末２０のＷｅｂブラウザ等によりインターネット等を介してサーバ装置１０にアクセスし、Ｗｅｂサイトの画面上で入力し、通知する構成としてもよい。
【００８２】
ステップＳ３０４にて、訪問者端末２０のＭＡＣアドレスやパスワード等を用いて、訪問者端末２０の認証を行う構成としてもよい。
【００８３】
次に、図１２を参照し、図９のステップＳ１１７及びステップＳ１２２で、サーバ装置１０の訪問者管理部１１２が、電気錠５０の解錠及び施錠を判断する際の処理の詳細について説明する。図１２は、サーバ装置１０による、電気錠５０の解錠／施錠処理のフローチャートである。
【００８４】
通信部１３が、無線接続装置４０から、訪問者端末２０の在圏通知／圏外通知を受信する（ステップＳ４０１）。
【００８５】
サーバ装置１０の訪問者管理部１１２は、無線接続装置情報１４３から、在圏通知／圏外通知に含まれる無線接続装置ＩＤに対応付けられた、設置場所を取得する（ステップＳ４０２）。訪問者情報１４２から、在圏通知／圏外通知に含まれる訪問者端末ＩＤに対応付けられた、訪問先の場所を取得する（ステップＳ４０３）。設置場所と、訪問先の場所とが一致するか判断し（ステップＳ４０４）、一致しなければ（ステップＳ４０４でＮＯ）、処理を終了する。一致すれば（ステップＳ４０４でＹＥＳ）、無線接続装置情報１４３から、在圏通知／圏外通知に含まれる無線接続装置ＩＤに対応付けられた、電気錠ＩＤを取得する（ステップＳ４０５）。通知が在圏通知か、圏外通知かを判断し（ステップＳ４０６）、在圏通知であれば（ステップＳ４０６で在圏通知）、施錠／解錠制御部１１３に指示し、電気錠ＩＤに対応する電気錠５０を解錠する（ステップＳ４０７）。圏外通知であれば（ステップＳ４０６で圏外通知）、施錠／解錠制御部１１３に指示し、電気錠ＩＤに対応する電気錠５０を施錠する（ステップＳ４０８）。
【００８６】
本実施形態のシステムにより、訪問者は目的の訪問先の場所への立ち入りを円滑に行うことができるとともに、訪問者が自身の訪問先以外（例えば、訪問先の患者がいる場所以外等）に立ち入ることを禁止することができる。そのため、本実施形態のシステムにより、例えば、訪問者が誤って他の患者を訪問することを防ぐことができ、他の患者のプライバシーを保護する（他の患者にとって無関係な訪問者の来訪を防ぐ）ことができる。
【００８７】
次に、図１３を参照し、訪問者が一時的に施設から外出し、再訪問する場合の入室管理システム１の動作について説明する。例えば、図９のステップＳ１１９で電気錠５０−２を解錠し、訪問者と訪問相手とが面会した後、訪問者が一時的に施設から外出するために、再訪問の許可をサーバ装置１０に登録する。それにより、再度施設に戻ってきた際に、図９のステップＳ１０７の、訪問者や訪問相手の氏名等の入力等が不要になる。
【００８８】
図１３は、訪問者が再訪問する際の入室管理システム１のシーケンスの一例を示す図である。
【００８９】
訪問者端末２０は、訪問者から所定の入力操作を受けると、再訪問の申請の入力画面を表示する（ステップＳ５０１）。入力画面上で再訪問の申請の入力を受け付けると、近距離無線通信を用いて、訪問先端末３０に、訪問者端末ＩＤを含む再訪問の許可要求を送信する（ステップＳ５０２）。訪問先端末３０は、再訪問の許可の入力画面を表示する（ステップＳ５０３）。入力画面上で再訪問の許可の入力を受け付けると、訪問者端末２０から受信する近距離無線通信の電波の強度が所定の閾値以上であるか判断する。そして、所定の閾値以上であれば、無線接続装置４０を介して、サーバ装置１０に、訪問者端末ＩＤと、訪問先端末３０のＩＤである再訪問許可端末ＩＤとを含む再訪問の許可要求を送信する（ステップＳ５０４）。サーバ装置１０の訪問受付部１２は、訪問者情報１４２において、訪問者端末ＩＤに対応付けて、再訪問の許可と再訪問許可端末ＩＤを登録する（ステップＳ５０５）。なお、この際、サーバ装置１０の訪問受付部１２にて再訪問許可端末ＩＤによる認証を行う構成としてもよい。例えば、受信した再訪問許可端末ＩＤが、予め登録されていれば、再訪問の許可を登録する構成としてもよい。
【００９０】
訪問者端末２０を所持する訪問者が、一時的に施設から外出するため、無線接続装置４０の圏外に移動すると、訪問者端末２０と無線接続装置４０との間で近距離無線通信を切断する（ステップＳ５０６）。無線接続装置４０は、圏外通知を、サーバ装置１０に送信する（ステップＳ５０７）。サーバ装置１０は、訪問者端末２０が、施設に設置された複数の無線接続装置４０−１、４０−２、・・・のいずれからも圏外になると、訪問者情報１４２において当該訪問者端末２０に対応する施設圏内の項目を、「不在」に更新する（ステップＳ５０８）。なお、施設圏内の項目を「不在」に更新した際、再訪問の許可が登録されていない場合は、所定期間を経過した後、訪問者端末２０に対応する情報を訪問者情報１４２から消去する。それにより、訪問者端末２０を所持する訪問者が、無線接続装置４０−２の圏内に移動しても、無線接続装置４０−２に対応する電気錠５０−２は解錠されなくなる。
【００９１】
訪問者端末２０を所持する訪問者が、再度施設に戻り、無線接続装置４０の圏内に入ると、訪問者端末２０と無線接続装置４０との間で近距離無線通信を接続する（ステップＳ５０９）。無線接続装置４０は、在圏通知を、サーバ装置１０に送信する（ステップＳ５１０）。サーバ装置１０は、訪問者情報１４２に、訪問者端末２０に対応付けて、再訪問の許可が記録されているか判断し（ステップＳ５１１）、記録されていれば、訪問者端末２０に、訪問先情報を通知する（ステップＳ５１２）。訪問者端末２０は、訪問先情報を表示する（ステップＳ５１３）。
【００９２】
それにより、再訪問時は、訪問者端末２０における訪問者や訪問相手の氏名等の入力等が不要となる。
【００９３】
なお、ステップＳ５０４にて、再訪問の許可要求は、訪問者端末２０からサーバ装置１０に送信する構成としてもよい。その場合、訪問先端末３０が、再訪問許可端末ＩＤを含むＱＲコード（登録商標）を表示し、訪問者端末２０が、ＱＲコードを画像認識して取得した再訪問許可端末ＩＤを再訪問の許可要求に含めて送信し、サーバ装置１０にて再訪問許可端末ＩＤによる認証を行う構成としてもよい。
【００９４】
なお、訪問者管理部１１２は、図１３のステップＳ５０５で、再訪問の許可を登録する際、以下のような処理を行う構成としてもよい。訪問者情報１４２における訪問先の場所の項目に記憶されている情報を第１の訪問先の場所として保持するとともに、訪問者情報１４２における訪問先の場所の項目に第２の訪問先の場所を追加する。そして、訪問先端末３０が在圏する無線接続装置４０が変更された際に、第２の訪問先の場所を、当該無線接続装置４０の設置場所に更新する。それにより、再訪問時に訪問相手の場所が変わっていても、最初に訪問した場所に設置された電気錠５０も解錠することができる。例えば、訪問者が最初に１３０２号室を訪問し、再訪問の許可を登録したのち、訪問者が再訪問した時に患者が食堂に移動している場合に、１３０２号室に置いてある荷物を取りに行くことができる。
【００９５】
玄関や通用口等に設置されている特定の無線接続装置４０から訪問者端末２０の圏内通知を受信したとき、訪問者情報１４２における当該訪問者端末２０のＩＤに対応付けられた再訪問許可が「有」の場合は、当該特定の無線接続装置４０に対応付けられた電気錠５０を解錠する構成としてもよい。それにより、再訪問の際は、例えば、面会受付時間終了後のため電気錠が施錠されている玄関や、受付の設置されていない通用口から施設内に入ることができる。
【００９６】
図１４は、図１３のステップＳ５０１〜ステップＳ５０３で、再訪問の許可をサーバ装置１０に登録する際に、訪問者端末２０と、訪問先端末３０とに表示される画面の一例を示す図である。図１４（Ａ）は、図１３のステップＳ５０１で訪問者端末２０に表示する、再訪問の申請の入力画面の例である。図１４（Ｂ）は、図１３のステップＳ５０３で訪問先端末３０に表示する、再訪問の許可の入力画面の例である。
【００９７】
図１４（Ｃ）、図１４（Ｄ）は、訪問先端末３０にて許可する操作がなされた場合の、訪問者端末２０と、訪問先端末３０とに表示される画面の例である。誤って別の端末を許可しないよう、訪問者端末２０から受信する近距離無線通信の電波の強度が所定の閾値以上であるか判断するために、訪問者端末２０と訪問先端末３０を近づけるよう促すメッセージを表示する。図１４（Ｅ）、図１４（Ｆ）は、図１３のステップＳ５０４で、サーバ装置１０に再訪問の許可要求を送信した際に、訪問者端末２０と、訪問先端末３０とに表示される画面の例である。
【００９８】
なお、前述のＱＲコードを利用した再訪問の許可を行う場合、図１４（Ｃ）において、訪問者端末２０は、ＱＲコード撮影画面を表示する。図１４（Ｄ）において、訪問先端末３０は、ＱＲコードを表示する。ここで、訪問先端末３０が表示するＱＲコード（画像）には、例えば、サーバ装置１０ヘアクセスするための接続情報（ネットワーク上のアドレス）や識別情報、サーバ装置１０への認証情報等や、再訪問許可を行う訪問先端末３０の識別情報や訪問先端末３０を利用するユーザ情報等が含まれるようにすると良い。
【００９９】
訪問者端末２０は、訪問先端末３０に表示されたＱＲコードを撮影し、ＱＲコードに含まれる前述の情報を利用することで、サーバ装置に再訪問の許可要求（訪問者端末ＩＤ及び訪問先端末ＩＤ）を送信する。
【０１００】
また、訪問者端末２０がＱＲコードを表示し、訪問先端末３０が訪問者端末２０に表示されたＱＲコードを撮影する構成としてもよい。この場合、図１４（Ｃ）において、訪問者端末２０は、ＱＲコードを表示する。図１４（Ｄ）において、訪問先端末３０は、ＱＲコード撮影画面を表示する。ここで、訪問者端末２０に表示されるＱＲコードには、訪問者端末ＩＤが含まれるような構成とすると良い。訪問先端末３０は、訪問者端末２０に表示されたＱＲコードを撮影し、ＱＲコードに含まれる訪問者端末ＩＤを取得する。その後の処理は図１３のステップＳ５０４に記載の処理と同じである。
【０１０１】
次に、図１５を参照し、図１３のステップＳ５１１で、サーバ装置１０が、再訪問か否かを判断する処理の詳細について説明する。図１５は、サーバ装置１０による、再訪問の判断処理のフローチャートである。
【０１０２】
サーバ装置１０の訪問受付部１２は、在圏を通知された訪問者端末２０のＩＤが訪問者情報１４２に記憶されており、該訪問者端末２０に対応する施設圏内の項目が「不在」であるか判断する（ステップＳ６０１）。そうでなければ（ステップＳ６０１でＮＯ）、処理を終了する。そうであれば（ステップＳ６０１でＹＥＳ）、訪問者情報１４２において、当該訪問者端末２０の再訪問許可が「有」であり、現在時刻が再訪問期限内か判断する（ステップＳ６０２）。そうでなければ（ステップＳ６０２でＮＯ）、処理を終了する。そうでなければ（ステップＳ６０２でＹＥＳ）、施設圏内の項目を、「在」に更新し（ステップＳ６０３）、訪問者端末２０に、再訪問の許可を通知する（ステップＳ６０４）。
【０１０３】
＜変形例＞
訪問先の場所に設置された電気錠５０−２を解錠するのみならず、訪問先の場所までの経路上に設置された電気錠５０−３も解錠する構成としてもよい。例えば、以下のような構成としてもよい。サーバ装置１０の施錠／解錠制御部１１３は、訪問者端末２０の現在の場所から、訪問先の場所までの経路上に設置された電気錠５０−３の情報を記憶しておく。そして、施錠／解錠制御部１１３は、訪問者端末２０が電気錠５０−３に対応する無線接続装置４０−３の圏内になった際に、電気錠５０−３に解錠指示を送信する。
【０１０４】
電気錠５０の解錠は、サーバ装置１０からの解錠指示により解錠する構成に変えて、以下により行う構成としてもよい。電気錠５０−２に、近距離無線通信機能を設ける。図９のステップＳ１１３にて、サーバ装置１０から訪問者端末２０に、訪問先情報を通知する際、訪問先の場所に設置されている電気錠５０−２を解錠するためのパスワードを通知する。訪問者端末２０は、電気錠５０−２の通信可能な範囲に移動すると、電気錠５０−２に、近距離無線通信を用いてパスワードを送信する。電気錠５０−２が、パスワードを認証し、認証に成功すると解錠する。
【０１０５】
電気錠５０の解錠は、以下により行う構成としてもよい。電気錠５０−２に、近距離無線通信機能を設ける。訪問者端末２０は、電気錠５０−２の通信可能な範囲に近づけられると、電気錠５０−２に、近距離無線通信を用いて、訪問者端末ＩＤ及び訪問先の場所を通知する。電気錠５０−２は、通知された訪問者端末ＩＤ及び訪問先の場所が、訪問者情報１４２に登録されているかサーバ装置１０に問い合わせる。サーバ装置１０は、訪問者情報１４２を検索し、訪問者端末ＩＤ及び訪問先の場所の組が登録されている場合、登録されている旨の応答を返す。電気錠５０−２は、サーバ装置１０から、登録されている旨の応答を受信すると、解錠する。
【０１０６】
サーバ装置１０から訪問者端末２０への訪問先情報の通知は、訪問相手による承諾を得た場合に、通知する構成としてもよい。例えば、図９のステップＳ１１２にて、訪問先端末３０が、サーバ装置１０から通知された訪問者の氏名等の情報を表示する。訪問相手が、訪問先端末３０にて、訪問を承諾することの入力操作がなされると、サーバ装置１０に承諾した旨を通知する。その後、ステップＳ１１４の、サーバ装置１０から訪問者端末２０に、訪問先情報を通知する処理を行う。
【０１０７】
訪問相手の現在の場所は、無線接続装置４０からの在圏通知／圏外通知に基づいて判断する代わりに、以下のように、在圏通知／圏外通知と、電気錠の開閉とに基づいて判断する構成としてもよい。電気錠５０に、室内側と、室外側に近距離無線通信機能を設ける。訪問先端末３０は、電気錠５０の通信可能な範囲に近づけられると、電気錠５０に、近距離無線通信を用いて解錠要求を送信する。電気錠５０は、解錠要求を認証し、認証に成功すると解錠するとともに、室内側と室外側のどちら側から解錠要求をされたかをサーバ装置１０に送信する。サーバ装置１０は、室内側から解錠要求をされた場合は、廊下を移動中と判断し、室外側から解錠要求をされた場合は、電気錠５０が設置された部屋の中にいると判断する。それにより、訪問相手の現在の場所を、精度よく管理できる。
【０１０８】
訪問相手の現在の場所は、以下のように、訪問相手のスケジュール情報に基づいて判断する構成としてもよい。サーバ装置１０は、診察中、食事中、入浴中、手術中等の患者のスケジュールに応じ、患者毎の、訪問相手が所在する予定の場所及び時間帯を含むスケジュール情報を管理する。サーバ装置１０は、訪問者端末２０に、訪問先の場所の情報を含む訪問先情報を通知する際、現在時刻に対する、訪問相手の所在する予定の場所をスケジュール情報から取得し、訪問先情報に含めて通知する。
【０１０９】
訪問者端末２０、訪問先端末３０の在圏／圏外の検知は、無線接続装置４０が在圏／圏外を検知した際にサーバ装置１０に通知する構成に代えて、以下の構成としてもよい。サーバ装置１０が所定の時間間隔で、無線接続装置４０を介して訪問者端末２０、訪問先端末３０に応答要求を送信し、訪問者端末２０、訪問先端末３０が無線接続装置４０を介して応答を返す。サーバ装置１０は、応答から、訪問者端末ＩＤまたは訪問先端末ＩＤと、無線接続装置ＩＤを取得することにより、訪問者端末２０、訪問先端末３０が在圏している無線接続装置４０の情報を取得する。応答がなくなれば、当該無線接続装置４０の圏外に移動したと判断する。
【０１１０】
なお、上述した実施形態におけるシステム構成は一例であり、用途や目的に応じて様々なシステム構成例があることは言うまでもない。例えば、サーバ装置１０は、複数台の装置により構成してもよい。
【符号の説明】
【０１１１】
１  入室管理システム
１０  サーバ装置（「情報処理装置」の一例）
１１  管理部
１１１  患者管理部
１１２  訪問者管理部
１１３  施錠／解錠制御部
１２  訪問受付部
１３  通信部
１４  記憶部
１４１  患者情報
１４２  訪問者情報
１４３  無線接続装置情報
２０  訪問者端末（「第１の端末」の一例）
２１  近距離無線通信部
２２  制御部
３０  訪問先端末（「第２の端末」の一例）
３１  近距離無線通信部
３２  制御部
４０  無線接続装置
４１  近距離無線通信部
４２  通信部
４３  制御部
【先行技術文献】
【特許文献】
【０１１２】
【特許文献１】特開２００９−１１０２９４号公報
【図１】
2017010415.tif 000003
【図２】
2017010415.tif 000004
【図３】
2017010415.tif 000005
【図４】
2017010415.tif 000006
【図５】
2017010415.tif 000007
【図６】
2017010415.tif 000008
【図７】
2017010415.tif 000009
【図８】
2017010415.tif 000010
【図９】
2017010415.tif 000011
【図１０】
2017010415.tif 000012
【図１１】
2017010415.tif 000013
【図１２】
2017010415.tif 000014
【図１３】
2017010415.tif 000015
【図１４】
2017010415.tif 000016
【図１５】
2017010415.tif 000017